(57)【特許請求の範囲】
【請求項１】
放射線撮影制御装置であって、
放射線撮像装置が無線通信を行う際に前記放射線撮像装置を親機および子機の何れとして動作させるのかを管理する管理手段と、
前記放射線撮像装置との無線通信の際に前記放射線撮像装置が親機、前記放射線撮影制御装置が子機として動作する場合、前記放射線撮影制御装置における電波の受信情報を取得する取得手段と、を有することを特徴とする放射線撮影制御装置。
【請求項２】
放射線撮影制御装置であって、
放射線撮像装置が無線通信を行う際に前記放射線撮影制御装置が親機として動作する場合に、前記放射線撮影制御装置とネットワークを介して相互に通信可能に接続されている外部装置との通信を停止させる停止手段を有することを特徴とする放射線撮影制御装置。
【請求項３】
放射線撮影制御装置であって、
放射線撮像装置が無線通信を行う際に前記放射線撮影制御装置が子機として動作することと、前記放射線撮影制御装置とネットワークを介して相互に通信可能に接続されている外部装置との通信の際に前記放射線撮影制御装置が子機として動作することとを選択する選択手段を有することを特徴とする放射線撮影制御装置。
【請求項４】
前記放射線撮像装置が前記放射線撮影制御装置と無線通信を行う際に前記放射線撮像装置を親機および子機の何れとして動作させるのかを示す情報と、前記放射線撮影制御装置が前記放射線撮像装置と無線通信を行う際に前記放射線撮影制御装置を親機および子機の何れとして動作させるのかを示す情報とを含む情報を用いて、放射線撮像装置が無線通信を行う際に前記放射線撮像装置を親機および子機の何れとして動作させるのかが管理されることを特徴とする請求項１〜３の何れか１項に記載の放射線撮影制御装置。
【請求項５】
前記放射線撮像装置および前記放射線撮影制御装置の一方が親機として動作し他方が子機として動作することを特徴とする請求項４に記載の放射線撮影制御装置。
【請求項６】
前記放射線撮像装置との無線通信の際に前記放射線撮影制御装置が親機および子機のいずれとして動作するかを、前記管理されている前記情報に基づいて選択する選択手段をさらに有することを特徴とする請求項４または５に記載の放射線撮影制御装置。
【請求項７】
前記選択手段は、前記放射線撮像装置との無線通信の際に前記放射線撮影制御装置が親機として動作することと、前記放射線撮影制御装置に有線で接続されている装置を利用することとを選択することを特徴とする請求項６に記載の放射線撮影制御装置。
【請求項８】
前記放射線撮像装置との無線通信の際に前記放射線撮影制御装置が子機として動作する場合に、前記放射線撮影制御装置における電波の受信情報を表示する表示手段をさらに有することを特徴とする請求項１〜７の何れか１項に記載の放射線撮影制御装置。
【請求項９】
前記放射線撮像装置との無線通信の際に前記放射線撮影制御装置が子機として動作する場合に、前記放射線撮影制御装置における電波の受信情報を前記放射線撮像装置に無線通信により送信する送信手段をさらに有することを特徴とする請求項１〜７の何れか１項に記載の放射線撮影制御装置。
【請求項１０】
放射線撮像装置であって、
前記放射線撮像装置が外部装置と無線通信を行う際に前記放射線撮像装置を親機および子機の何れとして動作させるのかを切り替える切替手段と、
前記放射線撮像装置が子機として動作する場合、前記放射線撮像装置における電波の受信情報を取得する取得手段とを有することを特徴とする放射線撮像装置。
【請求項１１】
前記放射線撮像装置が子機として動作する場合に、前記取得手段により取得された、前記放射線撮像装置における電波の受信情報を表示する表示手段をさらに有することを特徴とする請求項１０に記載の放射線撮像装置。
【請求項１２】
前記放射線撮像装置が子機として動作する場合に、前記取得手段により取得された、前記放射線撮像装置における電波の受信情報を、前記放射線撮像装置を制御する放射線撮影制御装置に無線通信により送信する送信手段をさらに有することを特徴とする請求項１０に記載の放射線撮像装置。
【請求項１３】
請求項１〜９の何れか１項に記載の放射線撮影制御装置の各手段としてコンピュータを機能させることを特徴とするプログラム。
【請求項１４】
請求項１０〜１２の何れか１項に記載の放射線撮像装置の各手段としてコンピュータを機能させることを特徴とするプログラム。
【発明の詳細な説明】
【技術分野】
【０００１】
本発明は、放射線撮影制御装置、放射線撮像装置、およびプログラムに関し、特に、放射線画像を生成するために用いて好適なものである。
【背景技術】
【０００２】
近年、Ｘ線撮影システムは様々な分野で利用されており、特に医療分野においては診断のための重要な手段の一つとなっている。医療分野におけるＸ線撮影システムでは、まず、Ｘ線発生装置によって発せられたＸ線がＸ線照射部から被写体へ照射されると、当該被写体を透過したＸ線をＸ線撮像装置（いわゆるＸ線センサ）によって撮影することでＸ線画像を取得する。そして、取得したＸ線画像に対して画像処理等を施しモニタへ表示する。医療分野におけるＸ線撮影システムでは、このようにしてモニタに表示したＸ線画像を診断に役立てる。
【０００３】
このようなＸ線撮影システムにおいて、複数のＸ線撮像装置の中から撮影を行うＸ線撮像装置を選択する技術として、特許文献１に記載の技術がある。
特許文献１に記載の技術では、撮影指示画面上で撮影が選択されると、当該撮影の予約情報における撮影部位を撮影可能な機種を検出し、撮影可能な機種（Ｘ線撮像装置）に応じた複数の機種ボタンを表示させる。複数の機種ボタンの何れかが押下されると、撮影の予約情報に設定されている機種を、当該押下された機種ボタンに応じた機種に変更する。
【先行技術文献】
【特許文献】
【０００４】
【特許文献１】特許第４１９３４４４号公報
【発明の概要】
【発明が解決しようとする課題】
【０００５】
しかしながら、特許文献１に記載の技術では、撮影を行う機種の設定を行うコントローラは、複数のＸ線撮像装置とケーブルにより通信可能に接続される。したがって、Ｘ線撮像装置を可搬することが容易ではないという課題がある。また、コントローラに接続されるＸ線撮像装置を増減させることが容易ではないという課題がある。
【課題を解決するための手段】
【０００６】
本発明の放射線撮影制御装置の第１の例は、放射線撮影制御装置であって、放射線撮像装置が無線通信を行う際に前記放射線撮像装置を親機および子機の何れとして動作させるのかを管理する管理手段と、前記放射線撮像装置との無線通信の際に前記放射線撮像装置が親機、前記放射線撮影制御装置が子機として動作する場合、前記放射線撮影制御装置における電波の受信情報を取得する取得手段と、を有することを特徴とする。
本発明の放射線撮影制御装置の第２の例は、放射線撮影制御装置であって、放射線撮像装置が無線通信を行う際に前記放射線撮影制御装置が親機として動作する場合に、前記放射線撮影制御装置とネットワークを介して相互に通信可能に接続されている外部装置との通信を停止させる停止手段を有することを特徴とする。
本発明の放射線撮影制御装置の第３の例は、放射線撮影制御装置であって、放射線撮像装置が無線通信を行う際に前記放射線撮影制御装置が子機として動作することと、前記放射線撮影制御装置とネットワークを介して相互に通信可能に接続されている外部装置との通信の際に前記放射線撮影制御装置が子機として動作することとを選択する選択手段を有することを特徴とする。
【発明の効果】
【０００７】
本発明によれば、複数の放射線撮像装置を選択できる放射線撮影システムにおけるとり回しを容易にすることができる。
【図面の簡単な説明】
【０００８】
【図１】Ｘ線撮影システムの第１の例を示す図である。
【図２】Ｘ線撮影システムの第２の例を示す図である。
【図３】Ｘ線撮影システムの第３の例を示す図である。
【図４】Ｘ線撮影システムの全体構成を示す図である。
【図５】Ｘ線撮影システムの第４の例を示す図である。
【図６】Ｘ線撮影システムの動作の第１の例を説明するフローチャートである。
【図７】Ｘ線撮影システムの第５の例を示す図である。
【図８】Ｘ線撮影システムの動作の第２の例を説明するフローチャートである。
【図９】Ｘ線撮影システムの第６の例を示す図である。
【図１０】Ｘ線撮影システムの動作の第３の例を説明するフローチャートである。
【図１１】Ｘ線撮影システムの第７の例を示す図である。
【図１２】Ｘ線撮影システムの動作の第４の例を説明するフローチャートである。
【図１３】Ｘ線撮影システムの動作の第５の例を説明するフローチャートである。
【図１４】Ｘ線撮影システムの第８の例を示す図である。
【図１５】Ｘ線撮影システムの動作の第６の例を説明するフローチャートである。
【図１６】Ｘ線撮影システムの動作の第７の例を説明するフローチャートである。
【図１７】Ｘ線撮影システムの第９の例を示す図である。
【図１８】Ｘ線撮影システムの動作の第８の例を説明するフローチャートである。
【図１９】Ｘ線撮影システムの動作の第９の例を説明するフローチャートである。
【発明を実施するための形態】
【０００９】
（実施形態に至る経緯）
実施形態を説明する前に、実施形態に至る経緯について説明する。
図１は、Ｘ線撮影システムの構成の第１の例を示す図である。
前述したようにＸ線撮影システムでは、まず、Ｘ線発生装置によって発せられたＸ線がＸ線照射部から被写体へ照射される。当該被写体を透過したＸ線をＸ線撮像部で撮影することでＸ線画像が得られる。Ｘ線画像は、Ｘ線撮像部からＸ線撮影制御部へ送信される。Ｘ線画像は、Ｘ線撮影制御部で画像処理等が施された後、モニタに表示される。
【００１０】
図１に示すＸ線撮影システムは、Ｘ線撮像部１０１と、Ｘ線撮影制御部１０２と、無線親機１０３と、院内ＬＡＮ親機１０４とを有する。
図１に示すＸ線撮影システムでは、Ｘ線撮像部１０１からＸ線撮影制御部１０２へのＸ線画像の転送に、無線親機１０３を介した無線通信を用いる場合を例に挙げて示す。Ｘ線撮影システムの取り回しのしやすさから、無線通信により、Ｘ線撮像部１０１とＸ線撮影制御部１０２とを通信可能に接続する。
【００１１】
図１に示す例では、無線親機１０３を設置し、Ｘ線撮像部１０１およびＸ線撮影制御部１０２が、無線親機１０３に子機として接続する。したがって、この構成の場合、Ｘ線撮影制御部１０２は、無線親機１０３と接続された全てのＸ線撮像部（Ｘ線撮像部１０１等）と接続して、無線親機１０３と接続された全てのＸ線撮像部をＸ線画像の撮影に使用することができる。そのため、Ｘ線撮影制御部１０２は、使用するＸ線撮像部が異なる撮影予約情報が並んで登録されている場合でも、Ｘ線撮影制御部１０２と通信可能に接続されているＸ線撮像部の中から、対象となるＸ線撮像部を選択すればよい。よって、Ｘ線撮影制御部１０２は、Ｘ線撮像部との接続の切り替えを行う必要はない。
【００１２】
Ｘ線撮影制御部１０２は、自身に内蔵している無線子機１０５をＸ線撮像部１０１との通信に使用する。一方、Ｘ線撮像部１０１は、自身に内蔵している無線子機１０６をＸ線撮影制御部１０２との通信に使用する。例えば、ＵＳＢ（Universal Serial Bus）接続のＡＰ（Access Point）を用いることにより無線子機を増設することができる。Ｘ線撮影制御部１０２に増設された無線子機１０７は、院内ＬＡＮ親機１０４との通信に利用することができる。院内ＬＡＮ親機１０４としては、例えば、ＲＩＳ（Radiology Information System）やＰＡＣＳ（Picture Archiving and Communication System）等がある。したがって、図１に示すＸ線撮影システムでは、Ｘ線撮影制御部１０２は、Ｘ線撮像部１０１との通信と院内ＬＡＮ親機１０４との通信との双方を行う機能を併用することが可能である。
【００１３】
しかしながら、図１に示すＸ線撮影システムでは、Ｘ線撮像部１０１、Ｘ線撮影制御部１０２、および無線親機１０３という３つのユニットが必要となる。したがって、無線親機１０３の設置場所が問題になる虞がある。
【００１４】
そこで、図２に示すＸ線撮影システムが考えられる。図２は、Ｘ線撮影システムの構成の第２の例を示す図である。図２において、図１と同じ部分については、図１に付した符号と同一の符号を付し、その詳細な説明を省略する。
図２に示すＸ線撮影システムは、Ｘ線撮像部１０１と、Ｘ線撮影制御部１０２と、院内ＬＡＮ親機１０４とを有する。
【００１５】
図２に示す例では、Ｘ線撮像部１０１は、無線親機２０１を有する。Ｘ線撮像部１０１の無線親機２０１は、Ｘ線撮影制御部１０２の無線子機１０５と通信する。図２に示す例では、無線親機として通信を行う通信部（ユニット）が、Ｘ線撮像部１０１内に設置される。したがって、無線親機として通信を行う通信部（ユニット）を、Ｘ線撮像部１０１と別のユニットとして扱う必要がない。このため、Ｘ線撮像部１０１とＸ線撮影制御部１０２は、無線親機１０３を用いることなく無線通信することができる。すなわち、図１に示す例では３つのユニットが必要であるのに対し、図２に示す例では２つのユニットになる。このため、図２に示すＸ線撮影システムでは、図１に示すＸ線撮影システムに比べ、Ｘ線撮像部１０１とＸ線撮影制御部１０２とが無線通信するために必要なユニットの数が減り、Ｘ線撮影システムの可搬性が向上する。
【００１６】
さらに、図１に示すＸ線撮影システムと同様に、Ｘ線撮影制御部１０２に増設した無線子機１０７を用いることにより、Ｘ線撮影制御部１０２は、ＲＩＳやＰＡＣＳ等の院内ＬＡＮ親機１０４との接続も可能である。
【００１７】
しかしながら、図２に示すＸ線撮影システムでは、Ｘ線撮像部１０１が無線親機の機能を持つ。したがって、Ｘ線撮影制御部１０２が一度に複数のＸ線撮像部と接続するという、図１に示すＸ線撮影システムでは可能であったことが、図２に示すＸ線撮影システムでは実現できない。よって、例えば、２つ以上のＸ線撮像部を回診車に積載し、２つ以上のＸ線撮像部を状況に応じて使い分けるような用途においては、Ｘ線撮影制御部１０２と接続するＸ線撮像部を適宜切り替える必要がある。
【００１８】
そこで、図３に示すＸ線撮影システムが考えられる。図３は、Ｘ線撮影システムの構成の第３の例を示す図である。図３において、図１と同じ部分については、図１に付した符号と同一の符号を付し、その詳細な説明を省略する。
図３に示すＸ線撮影システムは、Ｘ線撮像部１０１と、Ｘ線撮影制御部１０２と、院内ＬＡＮ親機１０４とを有する。
【００１９】
図３に示す例では、Ｘ線撮影制御部１０２は、無線親機３０１と無線子機３０２とを有する。Ｘ線撮影制御部１０２の無線親機３０１は、Ｘ線撮像部１０１の無線子機１０６と通信する。無線親機として通信を行う通信部（ユニット）が、Ｘ線撮影制御部１０２内に設置されることから、無線親機として通信を行う通信部（ユニット）を、Ｘ線撮影制御部１０２と別のユニットとして扱う必要がない。したがって、図２に示すＸ線撮影システムと同様に、図３に示すＸ線撮影システムでは、Ｘ線撮像部１０１とＸ線撮影制御部１０２とが無線通信するために必要なユニット数は２つになる。このため、図１に示すＸ線撮影システムに比べ、Ｘ線撮像部１０１とＸ線撮影制御部１０２とが無線通信するために必要なユニット数が減り、Ｘ線撮影システムの可搬性が向上する。
【００２０】
また、図３に示すＸ線撮影システムでは、Ｘ線撮影制御部１０２は、無線親機としての機能を有する。したがって、図３に示すＸ線撮影システムでは、図１に示すＸ線撮影システムと同様に、Ｘ線撮影制御部１０２が一度に複数のＸ線撮像部（Ｘ線撮像部１０１等）と接続することも可能である。
【００２１】
また、図３に示すＸ線撮影システムでは、Ｘ線撮影制御部１０２は、無線子機３０２を用いて、ＲＩＳやＰＡＣＳ等の院内ＬＡＮ親機１０４との接続自体は可能である。しかしながら、Ｘ線撮影制御部１０２では、一度院内ＬＡＮ親機１０４との通信が切断されると、無線子機３０２が親機をサーチする際に、Ｘ線撮影制御部１０２の無線親機３０１側、つまりＸ線撮像部１０１との通信も一度切断される。このように、図３に示すＸ線撮影システムでは、図１および図２に示すＸ線撮影システムでは可能であった、Ｘ線撮像部と院内ＬＡＮ親機との同時接続が困難である。
【００２２】
以下の各実施形態は、図１〜図３に示すＸ線撮影システムの問題点を検討してなされたものである。以下の各実施形態では、Ｘ線撮影制御部とＸ線撮像部との接続の切り替えを不要にすることと、Ｘ線撮影システムの可搬性を向上させることと、Ｘ線撮像部および院内ＬＡＮ親機との同時接続とをユースケース等に応じて適応的に満足させることを目的とする。
【００２３】
（Ｘ線撮影システムの全体構成）
図４は、Ｘ線撮影システムの全体構成の一例を示す図である。
図４において、Ｘ線撮影システムは、Ｘ線撮影制御部４０１と、操作表示部４０２と、複数のＸ線撮像部４０３ａ、４０３と、ＨＩＳ／ＲＩＳ端末４０５と、ストレージサーバ４０６と、検像ワークステーション４０７とを有する。
【００２４】
図４に示す例では、Ｘ線撮影制御部４０１は、放射線撮影制御装置の一例であり、ＨＩＳ／ＲＩＳ端末４０５、ストレージサーバ４０６、および検像ワークステーション４０７と院内ＬＡＮ４０４を介して相互に通信可能に接続される。尚、Ｘ線撮影制御部４０１は、ＨＩＳ／ＲＩＳ端末４０５、ストレージサーバ４０６、および検像ワークステーション４０７と院内ＬＡＮ４０４以外の通信経路を介して相互に通信可能に接続されるようにしてもよい。通信経路は有線であっても無線であってもよい。
【００２５】
Ｘ線撮影制御部４０１は、Ｘ線撮影システム全体を制御する。図４に示す例では、Ｘ線撮影制御部４０１は、複数のＸ線撮像部４０３ａ、４０３ｂを制御するに際し、複数のＸ線撮像部４０３ａ、４０３ｂと無線通信を行う。また、Ｘ線撮影制御部４０１には、操作表示部４０２が接続される。
操作表示部４０２は、Ｘ線撮影システム全体を制御するためのコンソール画面等のＧＵＩ（Graphic User Interface）や、Ｘ線撮像部４０３ａ、４０３ｂで撮影された画像を表示する。操作表示部４０２は、コンソール上に表示されたボタン等により操作や文字入力を受け付ける。操作表示部４０２は、その用途から液晶タッチパネルディスプレイが好適である。ただし、操作表示部４０２は、タッチパネルディスプレイに限定されない。例えば、液晶タッチパネルディスプレイを備えたモバイル型ＰＣやタブレット端末を操作表示部４０２として利用してもよい。
【００２６】
複数のＸ線撮像部４０３ａ、４０３ｂは、放射線撮像装置の一例であり、それぞれ、Ｘ線管球より照射され被写体を透過したＸ線画像を撮影し、撮影したＸ線画像のデジタルデータを出力する。複数のＸ線撮像部４０３ａ、４０３ｂは、例えば、被写体の異なる部位を撮影するためのものである。Ｘ線撮像部４０３ａ、４０３ｂは、例えば、Ｘ線撮影制御部４０１や、ＨＩＳ／ＲＩＳ端末４０５等の外部装置から撮影前に受信した撮影オーダ情報を撮影後にＸ線画像に関連付ける。撮影オーダ情報には、例えば、被写体のＩＤ、撮影部位、撮影日時等の情報が含まれる。そして、Ｘ線撮像部４０３ａ、４０３ｂは、撮影オーダ情報が関連付けられたＸ線画像をＸ線撮影制御部４０１に送信する。また、Ｘ線撮像部４０３ａ、４０３ｂは、撮影オーダ情報が関連付けられたＸ線画像を、画像を保存するストレージサーバ４０６や、画像処理等を施して診断に供する最終画像を生成するための検像ＷＳ（ワークステーション）９に出力する。
尚、ＨＩＳ／ＲＩＳ端末４０５、ストレージサーバ４０６、検像ワークステーション４０７、および院内ＬＡＮ４０４は、Ｘ線撮影システムに含まれていなくてもよい。
【００２７】
以下の各実施形態では、Ｘ線撮影制御部４０１およびＸ線撮像部４０３ａ、４０３ｂが外部装置と通信する際の機能が主として異なる。したがって、以下の各実施形態では、Ｘ線撮影制御部４０１およびＸ線撮像部４０３ａ、４０３ｂが外部装置と通信する際の構成の説明を行い、その他の説明を省略する。また、Ｘ線撮像部４０３ａ、４０３ｂは複数存在し得るが、Ｘ線撮像部４０３ａ、４０３ｂの構成のうち、外部装置と通信する際の構成は同じもので実現できる。したがって、以下の各実施形態では、Ｘ線撮影システム内のＸ線撮像部４０３ａ、４０３ｂとして（１つの）Ｘ線撮像部４０３のみを示す。
【００２８】
（第１の実施形態）
まず、第１の実施形態を説明する。
図５は、本実施形態のＸ線撮影システム５００の構成の一例を示すブロック図である。図５に示すＸ線撮影システム５００は、Ｘ線撮影制御部４０１とＸ線撮像部４０３とを有する。Ｘ線撮像部４０３は、無線構成情報受信部５０１と、第１の無線方式切り替え部５０２と、第１の通信部５０３とを有する。Ｘ線撮影制御部４０１は、無線構成情報管理部５０４と無線構成情報通知部５０５とを有する。
【００２９】
図６は、Ｘ線撮影システム５００の動作の一例を説明するフローチャートである。図５および図６を参照しながら、Ｘ線撮影システム５００の構成および処理の一例を説明する。
Ｘ線撮影制御部４０１の無線構成情報管理部５０４は、無線構成情報を管理する。本実施形態における無線構成情報は、Ｘ線撮像部４０３の第１の通信部５０３が親機として動作するか子機として動作するかを示す構成情報と、Ｘ線撮像部４０３がＸ線撮影制御部４０１と通信するに際して必要な情報とを含む。Ｘ線撮像部４０３がＸ線撮影制御部４０１と通信するに際して必要な情報は、例えばＳＳＩＤおよび暗号キーである。無線構成情報は、例えば、操作表示部４０２に表示されるＧＵＩに対するユーザによる入力操作に基づいて設定される。ただし、無線構成情報を設定する方法は、このようなＧＵＩを用いた方法に限定されない。例えば、事前に外部装置との通信を行うことにより無線構成情報をＸ線撮影制御部４０１が取得して設定してもよい、無線構成情報管理部５０４は、このようにして得られた無線構成情報を記憶する。また、Ｘ線撮影システム内にＸ線撮像部４０３が複数ある場合、無線構成情報は、Ｘ線撮像部４０３毎に個別に管理される。この場合、無線構成情報には、Ｘ線撮像部４０３の識別情報が関連付けられる。
【００３０】
無線構成情報通知部５０５は、無線構成情報管理部５０４により管理される無線構成情報を取得する（ステップＳ６０１）。次に、無線構成情報通知部５０５は、ステップＳ６０１で取得した無線構成情報をＸ線撮像部４０３に送信する（ステップＳ６０２）。Ｘ線撮影システム内にＸ線撮像部４０３が複数ある場合には、無線構成情報に関連付けられているＸ線撮像部４０３の識別情報に基づいて当該無線構成情報の宛先が決定される。Ｘ線撮影制御部４０１と複数のＸ線撮像部４０３とが無線通信をする場合であって、Ｘ線撮影制御部４０１が親機である場合、複数のＸ線撮像部４０３は全て子機になる。ただし、Ｘ線撮影制御部４０１が、或るＸ線撮像部４０３に対しては親機となり、別のＸ線撮像部４０３に対しては子機になるようにしてもよい。
【００３１】
次に、Ｘ線撮像部４０３の無線構成情報受信部５０１は、無線構成情報通知部５０５から送信された無線構成情報を受信する（ステップＳ６０３）。次に、第１の無線方式切り替え部５０２は、ステップＳ６０３で受信した無線構成情報に基づいて、第１の通信部５０３が親機として動作するか子機として動作するかを判断する（ステップＳ６０４）。この判断の結果、第１の通信部５０３が親機として動作する場合、第１の無線方式切り替え部５０２は、第１の通信部５０３を親機として動作させるように設定する（ステップＳ６０５）。これによりＸ線撮像部４０３は外部装置と無線通信する際に親機となる。一方、第１の通信部５０３が子機として動作する場合、第１の無線方式切り替え部５０２は、第１の通信部５０３を子機として動作させるように設定する（ステップＳ６０６）。これによりＸ線撮像部４０３は外部装置と無線通信する際に子機となる。外部装置は、Ｘ線撮影制御部４０１であってもＸ線撮影制御部４０１以外の装置であってもよい。このように、本実施形態のＸ線撮像部４０３は、無線親機と無線子機の双方の機能を有する。
【００３２】
尚、無線構成情報通知部５０５と無線構成情報受信部５０１との間の通信手段は、ＬＡＮケーブル等の有線を用いた通信手段でも、赤外線通信による通信手段でも、Bluetooth（登録商標）等を用いた無線通信による通信手段でもよい。ＬＡＮケーブル等の有線を用いた通信手段を用いる場合には、例えば、図４に示した構成において、Ｘ線撮像部４０３ａ、４０３ｂは、例えば、院内ＬＡＮ４０４に接続されるようにすることができる。
【００３３】
以上のように本実施形態では、Ｘ線撮影制御部４０１は、Ｘ線撮像部４０３の第１の通信部５０３が親機として動作するか子機として動作するかを示す構成情報を管理し、当該構成情報をＸ線撮像部４０３に送信する。Ｘ線撮像部４０３は、この構成情報に従って、親機および子機の何れとして動作するのかを選択する。したがって、Ｘ線撮影システムを構成する装置の可搬やＸ線撮像部４０３の増減等、Ｘ線撮影システムにおけるとり回しを容易にすることができる。また、２つ以上のＸ線撮像部４０３を子機として動作させる場合、Ｘ線撮影制御部４０１と接続するＸ線撮像部４０３を切り替える必要がなくなる。さらに、このようにする場合には、Ｘ線撮影制御部４０１のＸ線撮像部４０３と院内ＬＡＮ親機との同時接続が可能になる。
【００３４】
（第２の実施形態）
次に、第２の実施形態を説明する。本実施形態は、第１の実施形態に対し、Ｘ線撮像部４０３に加え、Ｘ線撮影制御部４０１についても、親機として動作するか子機として動作するのかを切り替える点が追加されたものである。したがって、本実施形態の説明において、第１の実施形態で説明した部分と同一の部分については、図５、図６に付した符号と同一の符号を付す等して詳細な説明を省略する。
【００３５】
図７は、本実施形態のＸ線撮影システム７００の構成の一例を示すブロック図である。図７に示すＸ線撮影システム７００は、Ｘ線撮影制御部４０１とＸ線撮像部４０３とを有する。Ｘ線撮像部４０３は、無線構成情報受信部５０１と、第１の無線方式切り替え部５０２と、第１の通信部５０３とを有する。Ｘ線撮影制御部４０１は、無線構成情報通知部５０５と、無線構成情報管理部７０１と、第２の無線方式切り替え部７０２と、第２の通信部７０３とを有する。
【００３６】
図８は、Ｘ線撮影システム７００の動作の一例を説明するフローチャートである。図７および図８を参照しながら、Ｘ線撮影システム７００の構成および処理の一例を説明する。
Ｘ線撮影制御部４０１の無線構成情報管理部７０１は、構成情報として次の情報を管理する。すなわち、本実施形態の構成情報は、Ｘ線撮像部４０３の第１の通信部５０３が親機として動作するか子機として動作するかと、Ｘ線撮影制御部４０１の第２の通信部７０３が親機として動作するか子機として動作するかを示す情報である。また、無線構成情報管理部７０１は、第１の通信部５０３および第２の通信部７０３同士が通信する際に必要な情報を管理する。第１の通信部５０３および第２の通信部７０３同士が通信する際に必要な情報は、例えばＳＳＩＤおよび暗号キーである。
【００３７】
本実施形態の無線構成情報には、以上の情報が含まれる。無線構成情報は、例えば、操作表示部４０２を用いてユーザによる入力操作に基づいて入力される。このとき、Ｘ線撮影制御部４０１の第２の通信部７０３と、Ｘ線撮像部４０３の第１の通信部５０３の一方が親機で他方が子機になるようにする。例えば、操作表示部４０２は、Ｘ線撮影制御部４０１の第２の通信部７０３を親機で動作させるか子機で動作させるかの何れかを選択するＧＵＩを表示する。Ｘ線撮影制御部４０１の第２の通信部７０３を親機で動作させることが選択された場合、構成情報は、Ｘ線撮影制御部４０１の第２の通信部７０３が親機で動作し、Ｘ線撮像部４０３の第１の通信部５０３が子機で動作することを示す情報になる。一方、Ｘ線撮影制御部４０１の第２の通信部７０３を子機で動作させることが選択された場合、構成情報は、Ｘ線撮影制御部４０１の第２の通信部７０３が子機で動作し、Ｘ線撮像部４０３の第１の通信部５０３が親機で動作することを示す情報になる。
【００３８】
尚、構成情報を設定する方法は、前述したＧＵＩを用いた方法に限定されない。例えば、事前に外部装置との通信を行うことにより構成情報をＸ線撮影制御部４０１が取得して設定してもよい。
また、第１の実施形態で説明したように、Ｘ線撮影システム内にＸ線撮像部４０３が複数ある場合、無線構成情報は、Ｘ線撮像部４０３毎に個別に管理される。この場合、無線構成情報には、Ｘ線撮像部４０３の識別情報が関連付けられる。
【００３９】
ここで、第１の通信部５０３の動作を切り替える際のＸ線撮影システム７００の動作は、第１の実施形態で説明した図６のステップＳ６０１〜Ｓ６０６の動作で実現されるので、ここでは、その詳細な説明を省略する。一方、第２の通信部７０３の動作を切り替える際のＸ線撮影システム７００の動作は、以下のようになる。
【００４０】
第２の無線方式切り替え部７０２は、無線構成情報管理部７０１から無線構成情報を取得する（ステップＳ８０１）。次に、第２の無線方式切り替え部７０２は、ステップＳ８０１で取得した無線構成情報に基づいて、第２の通信部７０３が親機として動作するか子機として動作するかを判断する（ステップＳ８０２）。この判断の結果、第２の通信部７０３が親機として動作する場合、第２の無線方式切り替え部７０２は、第２の通信部７０３を親機として動作させるように設定する（ステップＳ８０３）。これによりＸ線撮影制御部４０１はＸ線撮像部４０３と無線通信する際に親機となる。この場合、図６のフローチャートにおいてＸ線撮像部４０３はＸ線撮影制御部４０１と無線通信する際に子機となる。
【００４１】
一方、第２の通信部７０３が子機として動作する場合、第２の無線方式切り替え部７０２は、第２の通信部７０３を子機として動作させるように設定する（ステップＳ８０４）。これによりＸ線撮影制御部４０１はＸ線撮像部４０３と無線通信する際に子機となる。この場合、図６のフローチャートにおいてＸ線撮像部４０３はＸ線撮影制御部４０１と無線通信する際に親機となる。このように本実施形態のＸ線撮影制御部４０１は、無線親機と無線子機の双方の機能を有する。
【００４２】
第１の通信部５０３が親機として動作し、第２の通信部７０３が子機として動作する場合、第１の通信部５０３は、無線構成情報管理部７０１より取得したＳＳＩＤおよび暗号キーを用いて、Ｘ線撮像部４０３を親機として起動する。一方、第２の通信部７０３は、無線構成情報管理部７０１より取得したＳＳＩＤおよび暗号キーを用いて親機をサーチして、親機との通信を確立する。通信を確立した後は、Ｘ線撮影制御部４０１からの制御コマンド等が第２の通信部７０３から第１の通信部５０３を経て、Ｘ線撮像部４０３に入力される。この制御コマンドに基づいて、Ｘ線撮像部４０３は、Ｘ線画像の撮影が可能な状態になる。その後、Ｘ線が照射され、Ｘ線撮像部４０３でＸ線画像が撮影され、Ｘ線画像のデジタルデータが作成されると、Ｘ線画像のデジタルデータは、第１の通信部５０３から第２の通信部７０３を経てＸ線撮影制御部４０１へ伝達される。Ｘ線撮影制御部４０１は、Ｘ線画像のデジタルデータに対する処理を行ったり、Ｘ線画像を操作表示部４０２に表示させたりする。
【００４３】
第１の実施形態と同様に、無線構成情報管理部７０１は、複数のＸ線撮像部４０３に対する無線構成情報を個別に管理することが可能である。ただし、第２の通信部７０３が子機として機能する場合には、一度に単一のＸ線撮像部４０３としか通信を確立できない。このため、第２の通信部７０３は、複数のＸ線撮像部４０３と同時に通信を確立せず、順次に通信を確立する必要がある。
【００４４】
第２の通信部７０３が親機として動作し、第１の通信部５０３が子機として動作する場合、第２の通信部７０３は、無線構成情報管理部７０１より取得したＳＳＩＤおよび暗号キーを用いて、Ｘ線撮影制御部４０１を親機として起動する。一方、第１の通信部５０３は、無線構成情報管理部７０１より取得したＳＳＩＤおよび暗号キーを用いて親機をサーチして、親機との通信を確立する。通信を確立した後は、Ｘ線撮影制御部４０１からの制御コマンド等が第２の通信部７０３から第１の通信部５０３を経て、Ｘ線撮像部４０３に入力される。この制御コマンドに基づいて、Ｘ線撮像部４０３は、Ｘ線画像の撮影が可能な状態になる。その後、Ｘ線が照射され、Ｘ線撮像部４０３でＸ線画像が撮影され、Ｘ線画像のデジタルデータが作成されると、Ｘ線画像のデジタルデータは、第１の通信部５０３から第２の通信部７０３を経てＸ線撮影制御部４０１へ伝達される。Ｘ線撮影制御部４０１は、Ｘ線画像のデジタルデータに対する処理を行ったり、Ｘ線画像を操作表示部４０２に表示させたりする。
【００４５】
無線構成情報管理部７０１が、複数のＸ線撮像部４０３に対する無線構成情報を個別に管理する場合であって、第２の通信部７０３が親機として動作する場合、第２の通信部７０３は、複数のＸ線撮像部４０３と同時に通信を確立することが可能である。
また、第２の通信部７０３が親機で動作する場合、Ｘ線撮影制御部４０１と有線で接続されている親機（例えばＨＩＳ／ＲＩＳ端末４０５）を利用してＸ線撮影制御部４０１とＸ線撮像部４０３とが無線通信する構成であってもよい。
尚、無線構成情報通知部５０５と無線構成情報受信部５０１との間の通信手段は、ＬＡＮケーブル等の有線を用いた通信手段でも、赤外線通信による通信手段でも、Bluetooth（登録商標）等を用いた無線通信による通信手段でもよい。ＬＡＮケーブル等の有線を用いた通信手段を用いる場合には、例えば、図４に示した構成において、Ｘ線撮像部４０３ａ、４０３ｂは、例えば、院内ＬＡＮ４０４に接続されるようにすることができる。
【００４６】
以上のように本実施形態では、Ｘ線撮影制御部４０１は、Ｘ線撮像部４０３が親機として動作するか子機として動作するかに加え、Ｘ線撮影制御部４０１が親機として動作するか子機として動作するかを示す構成情報を管理する。したがって、ＸＸ線撮影システムを構成する装置の可搬やＸ線撮像部４０３の増減等、Ｘ線撮影システムにおけるとり回しを容易にすることができる。また、Ｘ線撮影制御部４０１を親機として動作させ、２つ以上のＸ線撮像部４０３を子機として動作させる場合、Ｘ線撮影制御部４０１と接続するＸ線撮像部４０３を切り替える必要がなくなる。さらに、このようにする場合には、Ｘ線撮影制御部４０１のＸ線撮像部４０３と院内ＬＡＮ親機との同時接続が可能になる。
【００４７】
（第３の実施形態）
次に、第３の実施形態を説明する。本実施形態は、第２の実施形態に対し、Ｘ線撮影制御部４０１が、院内ＬＡＮ４０４に接続された装置と通信する構成が追加されたものである。したがって、本実施形態の説明において、第１、第２の実施形態で説明した部分と同一の部分については、図５〜図８に付した符号と同一の符号を付す等して詳細な説明を省略する。
【００４８】
図９は、本実施形態のＸ線撮影システム９００の構成の一例を示すブロック図である。図９に示すＸ線撮影システム９００は、Ｘ線撮影制御部４０１とＸ線撮像部４０３とを有する。Ｘ線撮像部４０３は、無線構成情報受信部５０１と、第１の無線方式切り替え部５０２、第１の通信部５０３とを有する。Ｘ線撮影制御部４０１は、無線構成情報通知部５０５と、無線構成情報管理部７０１と、第２の通信部７０３と、第２の無線方式切り替え部９０１と、院内通信部９０２とを有する。
【００４９】
図１０は、Ｘ線撮影システム９００の動作の一例を説明するフローチャートである。図９および図１０を参照しながら、Ｘ線撮影システム９００の構成および処理の一例を説明する。
第１の通信部５０３の動作を切り替える際のＸ線撮影システム７００の動作は、第１の実施形態で説明した図６のステップＳ６０１〜Ｓ６０６の動作で実現されるので、ここでは、その詳細な説明を省略する。また、Ｘ線撮影制御部４０１の無線構成情報管理部７０１は、第２の実施形態で説明した無線構成情報を管理する。したがって、無線構成情報の詳細な説明を省略する。第２の通信部７０３の動作を切り替える際のＸ線撮影システム９００の動作は、以下のようになる。
【００５０】
第２の無線方式切り替え部９０１は、無線構成情報管理部７０１から無線構成情報を取得する（ステップＳ８０１）。次に、第２の無線方式切り替え部９０１は、ステップＳ８０１で取得した無線構成情報に基づいて、第２の通信部７０３が親機として動作するか子機として動作するかを判断する（ステップＳ８０２）。この判断の結果、第２の通信部７０３が親機として動作する場合、第２の無線方式切り替え部９０１は、第２の通信部７０３を親機として動作させるように設定する（ステップＳ８０３）。次に、第２の無線方式切り替え部９０１は、院内通信部９０２の動作を停止させる（ステップＳ１００１）。院内通信部９０２は、院内ＬＡＮ４０４に接続されたＨＩＳ／ＲＩＳ端末４０５、ストレージサーバ４０６、および検像ワークステーション４０７等の外部装置と通信するためのものである。
【００５１】
図３を参照しながら説明したように、Ｘ線撮影制御部４０１は、院内ＬＡＮ４０４には、無線子機を用いて接続される。Ｘ線撮影制御部４０１（院内通信部９０２）は、院内ＬＡＮ４０４への接続自体は可能であるが、一度院内ＬＡＮ４０４と通信が切断されてしまうと、院内通信部９０２が親機をサーチする際に、第２の通信部７０３の無線親機による通信も一度切断される。このような第２の通信部７０３による通信の切断を防止するため、本実施形態では、第２の通信部７０３が親機として動作する場合には、ステップＳ１００１で院内通信部９０２の動作を停止する。
【００５２】
一方、ステップＳ８０２の判断の結果、第２の通信部７０３が子機として動作する場合、第２の無線方式切り替え部９０１は、第２の通信部７０３を子機として動作させるように設定する（ステップＳ８０４）。次に、第２の無線方式切り替え部９０１は、院内通信部９０２を子機として動作させるように設定する（Ｓ１００２）。
【００５３】
以上のように、複数のＸ線撮像部４０３と同時に通信を確立することが可能である点においては、第２の通信部７０３が親機として動作する場合の方が、第２の通信部７０３が子機として動作する場合より優位である。一方、Ｘ線撮像部４０３および院内ＬＡＮ４０４との同時通信を確実に行うという点においては、第２の通信部７０３が子機として動作する場合の方が、第２の通信部７０３が親機として動作する場合よりも優位である。
よって、例えば、Ｘ線撮像部４０３を１つしか使用せず、Ｘ線撮影制御部４０１の院内ＬＡＮ４０４への接続を確実に実現したい場合には、第２の通信部７０３を子機として動作させるように構成情報を設定する。一方、Ｘ線撮像部４０３を複数利用し、Ｘ線撮影制御部４０１の院内ＬＡＮ４０４への接続は撮影後でも構わない場合には、第２の通信部７０３を親機として動作させるように構成情報を設定する。このように本実施形態では、第２の実施形態で説明した効果に加え、ユースケースに応じて、第２の通信部７０３を親機および子機の何れで動作させるのかを使い分けることが可能であるという効果がある。
【００５４】
（第４の実施形態）
次に、第４の実施形態を説明する。本実施形態は、第２の実施形態に対し、電波の受信状況を取得する構成が追加されたものである。したがって、本実施形態の説明において、第１〜第３の実施形態で説明した部分と同一の部分については、図５〜図１０に付した符号と同一の符号を付す等して詳細な説明を省略する。
図１１は、本実施形態のＸ線撮影システム１１００の構成の一例を示すブロック図である。図１１に示すＸ線撮影システム１１００は、Ｘ線撮影制御部４０１とＸ線撮像部４０３とを有する。Ｘ線撮像部４０３は、無線構成情報受信部５０１と、第１の通信部５０３と、第１の無線方式切り替え部１１０１と、第１の電波強度情報取得部１１０２とを有する。Ｘ線撮影制御部４０１は、無線構成情報通知部５０５と、無線構成情報管理部７０１と、第２の無線方式切り替え部７０２と、第２の通信部７０３と、第２の電波強度情報取得部１１０４とを有する。
【００５５】
図１２および図１３は、Ｘ線撮影システム１１００の動作の一例を説明するフローチャートである。図１１〜図１３を参照しながら、Ｘ線撮影システム１１００の構成および処理の一例を説明する。
【００５６】
第１の通信部５０３の動作を切り替える際のＸ線撮影システム１１００の動作（Ｘ線撮像部４０３の動作）は、図６に示したフローチャートのステップＳ６０１〜Ｓ６０６にステップＳ１２０１の処理が追加されたものとなる。
すなわち、ステップＳ６０４において第１の通信部５０３が子機として動作すると判断された場合、第１の無線方式切り替え部１１０１は、第１の通信部５０３を子機として動作させるように設定する（ステップＳ６０６）。次に、第１の電波強度情報取得部１１０２は、Ｘ線撮像部４０３における電波の受信強度を示す電波強度情報を取得する（ステップＳ１２０１）。このように本実施形態では、第１の電波強度情報取得部１１０２は、第１の通信部５０３が子機として動作する場合に電波強度情報を取得し、第１の通信部５０３が親機として動作する場合に電波強度情報を取得しない。
【００５７】
第２の通信部７０３の動作を切り替える際のＸ線撮影システム１１００の動作（Ｘ線撮影制御部４０１の動作）は、図８に示したフローチャートのステップＳ８０１〜Ｓ８０４にステップＳ１３０１の処理が追加されたものとなる。
すなわち、ステップＳ８０２において第２の通信部７０３が子機として動作すると判断された場合、第２の無線方式切り替え部７０２は、第２の通信部７０３を子機として動作させるように設定する（ステップＳ８０４）。次に、第２の電波強度情報取得部１１０４は、Ｘ線撮影制御部４０１における電波の受信強度を示す電波強度情報を取得する（ステップＳ１３０１）。このように本実施形態では、第２の電波強度情報取得部１１０４は、第２の通信部７０３が子機として動作する場合に電波強度情報を取得し、第１の通信部５０３が親機として動作する場合に電波強度情報を取得しない。
【００５８】
図１２、図１３のフローチャートのようにするのは、電波強度情報を子機側でしか取得できないためであり、無線構成情報管理部７０１の構成に応じて電波強度情報を適切に取得するためである。
本実施形態では、電波強度情報が電波の受信強度を示す情報である場合を例に挙げて説明した。しかしながら、電波の受信の状況に関する情報であれば、必ずしもこのような電波強度情報を用いなくてもよい。例えば、電波の安定性を示す情報を電波強度情報に加えてまたは代えて用いてもよい。
尚、本実施形態のＸ線撮影制御部４０１に第３の実施形態で説明した院内通信部９０２に追加してもよい。
【００５９】
（第５の実施形態）
次に、第５の実施形態を説明する。本実施形態は、第４の実施形態に対し、Ｘ線撮像部４０３が電波強度情報を表示する構成が追加されたものである。したがって、本実施形態の説明において、第１〜第４の実施形態で説明した部分と同一の部分については、図５〜図１３に付した符号と同一の符号を付す等して詳細な説明を省略する。
図１４は、本実施形態のＸ線撮影システム１４００の構成の一例を示すブロック図である。図１４に示すＸ線撮影システム１４００は、Ｘ線撮影制御部４０１とＸ線撮像部４０３とを有する。Ｘ線撮像部４０３は、無線構成情報受信部５０１と、第１の無線方式切り替え部１１０１と、第１の電波強度情報取得部１１０２と、第１の電波強度情報表示部１４０１と、第１の通信部１４０２とを有する。Ｘ線撮影制御部４０１は、無線構成情報通知部５０５と、無線構成情報管理部７０１と、第２の無線方式切り替え部７０２と、第２の電波強度情報取得部１１０４と、第２の通信部１４０３とを有する。
【００６０】
図１５および図１６は、Ｘ線撮影システム１４００の動作の一例を説明するフローチャートである。図１４〜図１６を参照しながら、Ｘ線撮影システム１４００の構成および処理の一例を説明する。
【００６１】
第１の通信部１４０２の動作を切り替える際のＸ線撮影システム１１００の動作（Ｘ線撮像部４０３の動作）は、図１２に示したフローチャートのステップＳ６０１〜Ｓ６０６、Ｓ１２０１にステップＳ１５０１の処理が追加されたものとなる。
すなわち、ステップＳ１２０１で第１の電波強度情報取得部１１０２が電波強度情報を取得すると、ステップＳ１５０１において、第１の電波強度情報表示部１４０１は、ステップＳ１２０１で取得された電波強度情報を表示する。このように本実施形態では、第１の電波強度情報表示部１４０１は、第２の通信部１４０３が子機として動作する場合に第１の電波強度情報取得部１１０２で取得した電波強度情報を表示する。一方、第２の通信部１４０３が親機として動作する場合には、第１の電波強度情報取得部１１０２で電波強度情報は取得されない。
【００６２】
第２の通信部１４０３の動作を切り替える際のＸ線撮影システム１４００の動作は、図１３に示したフローチャートのステップＳ８０１〜Ｓ８０４、Ｓ１３０１にステップＳ１６０１、Ｓ１６０２の処理が追加されたものとなる。
すなわち、ステップＳ１３０１で第２の電波強度情報取得部１１０４が電波強度情報を取得すると、ステップＳ１６０１において、第２の通信部１４０３は、ステップＳ１３０１で取得された電波強度情報を第１の通信部１４０２に送信する。次に、ステップＳ１６０２において、第１の電波強度情報表示部１４０１は、ステップＳ１６０１で送信された電波強度情報を表示する。このように本実施形態では、第１の電波強度情報表示部１４０１は、第２の通信部１４０３が子機として動作する場合に第２の通信部１４０３から送信された電波強度情報を第１の電波強度情報表示部１４０１で表示する。一方、第２の通信部１４０３が親機として動作する場合には、第２の通信部１４０３で電波強度情報は送信されない。
【００６３】
電波強度情報の表示形態は特に限定されない。例えば、ステップＳ１２０１で取得された電波強度情報に示される受信強度そのものを表示することができる。また、ステップＳ１２０１で取得された電波強度情報に示される受信強度を百分率で表した値（電波強度情報に示される受信強度の最大値に対する割合）で表示することができる。また、ステップＳ１２０１で取得された電波強度情報に示される受信強度が予め設定された複数の段階のうち何れの段階に属するのかを表示してもよい。
【００６４】
以上のように構成にすることで、無線構成情報管理部７０１で管理される構成情報において、Ｘ線撮影制御部４０１とＸ線撮像部４０３の親子関係が変わっても、ユーザに同じ表示形態で電波強度情報を表示することが可能となる。
尚、第４の実施形態で説明したように、電波強度情報の表示形態は特に限定されない。また、第４の実施形態で説明したように、電波の受信の状況に関する情報であれば、必ずしもこのような電波強度情報を用いなくてもよい。
【００６５】
（第６の実施形態）
次に、第６の実施形態を説明する。本実施形態は、第４の実施形態に対し、Ｘ線撮影制御部４０１が電波強度情報を表示する構成が追加されたものである。したがって、本実施形態の説明において、第１〜第４の実施形態で説明した部分と同一の部分については、図５〜図１３に付した符号と同一の符号を付す等して詳細な説明を省略する。
図１７は、本実施形態のＸ線撮影システム１７００の構成の一例を示すブロック図である。図１７に示すＸ線撮影システム１７００は、Ｘ線撮影制御部４０１とＸ線撮像部４０３とを有する。Ｘ線撮像部４０３は、無線構成情報受信部５０１と、第１の無線方式切り替え部１１０１と、第１の電波強度情報取得部１１０２と、第１の通信部１７０１とを有する。Ｘ線撮影制御部４０１は、無線構成情報通知部５０５と、無線構成情報管理部７０１と、第２の無線方式切り替え部７０２と、第２の電波強度情報取得部１１０４と、第２の電波強度情報表示部１７０２と、第２の通信部１７０３とを有する。
【００６６】
図１８および図１９は、Ｘ線撮影システム１７００の動作の一例を説明するフローチャートである。図１７〜図１９を参照しながら、Ｘ線撮影システム１７００の構成および処理の一例を説明する。
【００６７】
第１の通信部１４０２の動作を切り替える際のＸ線撮影システム１７００の動作は、図１２に示したフローチャートのステップＳ６０１〜Ｓ６０６、Ｓ１２０１にステップＳ１８０１、Ｓ１８０２の処理が追加されたものとなる。
すなわち、ステップＳ１２０１で第１の電波強度情報取得部１１０２が電波強度情報を取得すると、ステップＳ１８０１において、第１の通信部１７０１は、ステップＳ１２０１で取得された電波強度情報を第２の通信部１７０３に送信する。次に、ステップＳ１８０２において、第２の電波強度情報表示部１７０２は、ステップＳ１６０１で送信された電波強度情報を表示する。このように本実施形態では、第１の通信部１７０１が子機として動作する場合に第１の通信部１７０１から送信された電波強度受信情報を第２の電波強度情報表示部１７０２で表示する。一方、第１の通信部１７０１が親機として動作する場合には、第１の通信部１７０１で電波強度情報は送信されない。
【００６８】
第２の通信部１４０３の動作を切り替える際のＸ線撮影システム１７００（Ｘ線撮影制御部４０１）の動作は、図１３に示したフローチャートのステップＳ８０１〜Ｓ８０４、Ｓ１３０１にステップＳ１９０１の処理が追加されたものとなる。
すなわち、ステップＳ１３０１で第２の電波強度情報取得部１１０４が電波強度情報を取得すると、ステップＳ１９０１において、第２の電波強度情報表示部１７０２は、ステップＳ１３０１で取得された電波強度情報を表示する。このように本実施形態では、第２の電波強度情報表示部１７０２は、第２の通信部１７０３が子機として動作する場合に第２の電波強度情報取得部１１０４で取得した電波強度情報を表示する。一方、第２の通信部１７０３が親機として動作する場合には、第２の電波強度情報取得部１１０４で電波強度情報は取得されない。
【００６９】
以上のような構成にすることで、無線構成情報管理部７０１で管理される構成情報において、Ｘ線撮影制御部４０１とＸ線撮像部４０３の親子関係が変わっても、ユーザに同じ表示形態で電波強度情報を表示することが可能となる。
尚、第４の実施形態で説明したように、電波強度情報の表示形態は特に限定されない。また、第４の実施形態で説明したように、電波の受信の状況に関する情報であれば、必ずしもこのような電波強度情報を用いなくてもよい。
【００７０】
尚、前述した実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【００７１】
（その他の実施例）
本発明は、以下の処理を実行することによっても実現される。即ち、まず、以上の実施形態の機能を実現するソフトウェア（コンピュータプログラム）を、ネットワーク又は各種記憶媒体を介してシステム或いは装置に供給する。そして、そのシステム或いは装置のコンピュータ（又はＣＰＵやＭＰＵ等）が当該コンピュータプログラムを読み出して実行する。
【符号の説明】
【００７２】
４０１：Ｘ線撮影制御部、４０２：操作表示部、４０３ａ、４０３ｂ：Ｘ線撮像部
【図１】
0006525679.tif 000002
【図２】
0006525679.tif 000003
【図３】
0006525679.tif 000004
【図４】
0006525679.tif 000005
【図５】
0006525679.tif 000006
【図６】
0006525679.tif 000007
【図７】
0006525679.tif 000008
【図８】
0006525679.tif 000009
【図９】
0006525679.tif 000010
【図１０】
0006525679.tif 000011
【図１１】
0006525679.tif 000012
【図１２】
0006525679.tif 000013
【図１３】
0006525679.tif 000014
【図１４】
0006525679.tif 000015
【図１５】
0006525679.tif 000016
【図１６】
0006525679.tif 000017
【図１７】
0006525679.tif 000018
【図１８】
0006525679.tif 000019
【図１９】
0006525679.tif 000020